(57)【要約】【課題】環境保全に優れ、製造コストの低減が可能で、かつ薄型化しても充分な強度を持った外枠を備えた遊技機を提供する。【解決手段】外枠１２は４辺がそれぞれ別体になっており、各辺はアルミ製の押し出し材１２ａ〜１２ｄからなる。押し出し材１２ａ〜１２ｄはその断面が矩形の中空な筒からなる。押し出し材１２ａ〜１２ｄは、一本の押し出し材を各辺の長さに切断し、それぞれに加工を施すことによって形成されている。押し出し材１２ａ〜１２ｄは連結板２０ａ〜２０ｄによって連結されている。連結板２０ａ〜２０ｄは、外枠１２の隣接する二辺に沿って略Ｌ字形となるように折り曲げた板金からなる。押し出し材１２ａ〜１２ｃには木材２２が挿入されており、挿入された木材２２は木材露呈用開口２５から露呈されている。これにより、パチンコ機の搬送及び設置の際に釘を打ち込むことができる。【選択図】        図４
2007000270.tif 000002
【特許請求の範囲】
【請求項１】
遊技機本体が内側に組み込まれる四角形の外枠を備えた遊技機において、
前記外枠の各辺を構成する基材は、断面が四角形で金属製の筒をそれぞれの長さに切断することによって形成され、
前記基材の中空部分は、ナットが挿入されるナット挿入部と木材が挿入される木材挿入部とに区画されるとともに、前記ナット挿入部と前記木材挿入部とは前記外枠の前後方向に沿って互いに隣接するように配置され、
前記基材の内壁には前記ナット挿入部に挿入された前記ナットが露呈されるナット露呈用開口が形成されるとともに、少なくとも隣接する二辺を構成する前記基材の各々には、前記木材挿入部に挿入された前記木材を露呈する木材露呈用開口がその外壁及び内壁に形成され、
前記外枠は、隣接する二辺の前記基材同士を連結する連結部材を、前記ナット露呈用開口から露呈された前記ナットにビス止めすることによって形成されていることを特徴とする遊技機。
【請求項２】
前記外枠に前記遊技機本体を回動自在に軸着し、
前記遊技機本体を前記外枠に係止させる係止片を、軸側とは反対側の側辺を構成する前記基材の前記ナットにビス止めしたことを特徴とする請求項１記載の遊技機。
【請求項３】
前記連結部材は、前記外枠の隣接する二辺に沿って折り曲げられた略Ｌ字形の連結板であり、
前記連結板は、前記木材露呈用開口から前記木材挿入部内に突出する突出片を備えたことを特徴とする請求項１又は２記載の遊技機。
【発明の詳細な説明】
【技術分野】
【０００１】
内側に遊技機本体が組み込まれる四角形の外枠を備えた遊技機に関するものである。
【背景技術】
【０００２】
パチンコ機が設置される遊技場には、島設備が設けられている。島設備には、複数のパチンコ機が横並びに設置される。パチンコ機は、遊技盤や制御基板を備えたパチンコ機本体が外枠と称される枠の内側に組み込まれている（例えば特許文献１）。一般に、外枠は４辺を構成する木材の板を組み合わせることによって形成される。そして、外枠の内側から島設備に釘を打ち込むことによってパチンコ機が島設備に固定される。また、パチンコ機を遊技場に搬送する際には、釘の打ち込みによって木製の細長い板に一方の側板を固定することによって複数のパチンコ機が連結される。これにより、搬送時の振動によってパチンコ機の倒れや衝突などが起こることを防止して、パチンコ機が破損することを防止している。
【特許文献１】特開平９−１７３５６６号公報
【発明の開示】
【発明が解決しようとする課題】
【０００３】
ところで、最近のパチンコ機では、遊技者の遊技への興味を惹くために、遊技盤上に設置された役物や液晶パネルをより大型化することが望まれている。役物や液晶パネルを大型化するには、パチンコ球の流下経路を確保する、あるいは、入賞口の設置スペースの確保するためにパチンコ機本体の外周寸法を大型化する必要があるが、島設備におけるパチンコ機の設置スペースの寸法は予め決まっているため、パチンコ機本体の外周寸法を大きくすると外枠の厚みを薄くしなければならない。ところが、外枠を薄くするにつれて、パチンコ機本体を保持するだけの強度（剛性）を外枠に持たせることが困難になるため、パチンコ機本体の外周寸法を大型化するにも限度があり、これにより、液晶パネルや役物の大型化にも制限があった。このため、外枠に強度を持たせるために、外枠をアルミ製のダイカストで形成することも考えられるが、アルミ製のダイカストでは、複雑な金型が必要になってパチンコ機の製造コストが上昇するおそれがあり、さらに、その重量が重くなってパチンコ機の搬送や設置の作業の効率が悪くなるおそれもある。
【０００４】
また、使用を終えたパチンコ機からは、リユース可能な部品及びリサイクル可能な部品が回収されるが、外枠はリユース及びリサイクルが不能であるため廃棄される。このことは、パチンコ機の製造コストが上昇する原因となり、また、外枠を廃棄することは環境に悪影響を及ぼすことにもなっていた。
【０００５】
本発明は、上記課題を解決するためになされたもので、環境保全に優れ、製造コストの低減が可能な遊技機を提供することを目的とする。さらに、薄型化しても充分な強度を持った外枠を備えた遊技機を提供することを目的とする。
【課題を解決するための手段】
【０００６】
本発明の遊技機は、遊技機本体が内側に組み込まれる四角形の外枠を備えた遊技機において、前記外枠の各辺を構成する基材は、断面が四角形で金属製の筒をそれぞれの長さに切断することによって形成され、前記基材の中空部分は、ナットが挿入されるナット挿入部と木材が挿入される木材挿入部とに区画されるとともに、前記ナット挿入部と前記木材挿入部とは前記外枠の前後方向に沿って互いに隣接するように配置され、前記基材の内壁には前記ナット挿入部に挿入された前記ナットが露呈されるナット露呈用開口が形成されるとともに、少なくとも隣接する二辺を構成する前記基材の各々には、前記木材挿入部に挿入された前記木材を露呈する木材露呈用開口がその外壁及び内壁に形成され、前記外枠は、隣接する二辺の前記基材同士を連結する連結部材を、前記ナット露呈用開口から露呈された前記ナットにビス止めすることによって形成されているものである。
【０００７】
なお、前記外枠に前記遊技機本体を回動自在に軸着し、前記遊技機本体を前記外枠に係止させる係止片を、軸側とは反対側の側辺を構成する前記基材の前記ナットにビス止めすることが好ましい。
【０００８】
また、前記連結部材は、前記外枠の隣接する二辺に沿って折り曲げられた略Ｌ字形の連結板であり、前記連結板は、前記木材露呈用開口から前記木材挿入部内に突出する突出片を備えることが好ましい。
【発明の効果】
【０００９】
外枠の各辺を構成する基材は、断面が四角形で金属製の筒をそれぞれの長さに切断することによって形成されているので、基材をリユース又はリサイクルすることが可能になり、環境に悪影響を与えることを防止でき、また、木材に比べて外枠の強度をアップさせることが可能になり、基材を薄型化しても充分な強度を外枠に持たせることができる。また、金属は木材よりも寸法精度の誤差を小さくできるので、組立の際の効率が良くなり、遊技機の製造コストを低減することができる。さらに、外枠を製造する際には金属製の筒を各辺の長さに合わせて切断すればよいから、複雑な構成の金型を製造する必要がなくなって遊技機の製造コストを低減することができる。また、基材の内部は中空であるから、外枠を軽量化することが可能になり、遊技機の搬送や設置の際に、その作業の効率を向上させることができる。
【００１０】
また、外枠に遊技機本体を回動自在に軸着し、遊技機本体を外枠に係止させる係止片を、軸側とは反対側の側辺を構成する基材のナットにビス止めしたので、係止片の位置を調整することが可能になり、係止片の位置が異なる遊技機でも外枠をリユースすることができる。これにより、遊技機の製造コストを低減することができる。
【００１１】
また、連結部材は、外枠の隣接する二辺に沿って折り曲げられた略Ｌ字形の連結板であり、連結板は、木材露呈用開口から木材挿入部内に突出する突出片を備えたので、木材挿入部に挿入された木材の位置決め及び保持を突出片によって行うことが可能になり、木材の位置決め及び保持を行う部材を別個に設ける必要がなくなる。これにより、遊技機の製造コストを低減することができる。
【発明を実施するための最良の形態】
【００１２】
図１及び図２に示すように、パチンコ機（遊技機）１０は、本体（遊技機本体）１１と内側に本体１１が組み込まれた四角形の外枠１２とを備えている。本体１１は外枠１２に対して回動自在に軸着されている。本体１１を回動させた状態では本体１１を外枠１２から取り外すことが可能になっている。本体１１には遊技盤１３が取り付けられている。遊技盤１３の前面には、液晶パネル１４、入賞口１５、アウト口１６などが設けられている。なお、図示は省略してあるが、遊技盤１３の前面には障害釘や風車などが設けられている。本体１１の背面には、例えば当たり又はハズレを決定する抽選や液晶パネル１４での画像の表示制御など遊技に係る処理を実行する制御基板が収納された基板ケース１７などが取り付けられている。
【００１３】
図３に示すように、外枠１２は４辺がそれぞれ別体になっており、各辺はアルミ製の押し出し材（基材）１２ａ〜１２ｄからなる。押し出し材１２ａ〜１２ｄはその断面が矩形の中空な筒からなる。押し出し材１２ａは上辺、押し出し材１２ｂは本体１１の軸側と反対側の側辺、押し出し材１２ｃは下辺、押し出し材１２ｄは外枠１２のヒンジ側の側辺に配置され、各押し出し材１２ａ〜１２ｄは、その断面の長辺と外枠１２の前後方向とが着平行になるように連結されている。押し出し材１２ａ〜１２ｄは、一本の押し出し材を各辺の長さに切断し、それぞれに加工を施すことによって形成されている。そして、押し出し材１２ａと押し出し材１２ｃとがその長さが同一で、押し出し材１２ｂと押し出し材１２ｄとがその長さが同一になっている。また、押し出し材１２ｂと押し出し材１２ｄとには異なる加工が施されているが、押し出し材１２ａと押し出し材１２ｃとには同一の加工が施され、両者は同一の構成になっている。なお、符号１２ｅは、本体１１の下方の空間を埋める飾り板１２ｅを示す。
【００１４】
図４に示すように、押し出し材１２ａ〜１２ｄは連結板（連結部材）２０ａ〜２０ｄによって連結されている。連結板２０ａ〜２０ｄは、外枠１２の隣接する二辺に沿って略Ｌ字形となるように折り曲げた板金からなる。連結板２０ａ〜２０ｄは、外枠１２を形成したときにその内側の４隅に位置するように配置されている。
【００１５】
そして、押し出し材１２ａと押し出し材１２ｂは連結板２０ａ、押し出し材１２ｂと押し出し材１２ｃは連結板２０ｂ、押し出し材１２ｃと押し出し材１２ｄは連結板２０ｃ、押し出し材１２ａと押し出し材１２ｄは連結板２０ｄによって連結されている。
【００１６】
図５に示すように、押し出し材１２ａ〜１２ｄが連結されると、押し出し材１２ａ，１２ｃが押し出し材１２ｂ，１２ｄによって挟まれた状態となって、外枠１２が形成される。
【００１７】
なお、連結板２０ｃと連結板２０ｄとは同一の形状となっている。また、連結板２０ａ及び連結板２０ｂには本体１１が軸着されるため、連結板２０ａ及び連結板２０ｂは、連結板２０ｃ及び連結板２０ｄと形状が異なり、さらに互いの形状も異なっている。
【００１８】
次に、押し出し材１２ａ〜１２ｄの構成を図６に示す押し出し材１２ａの断面を例に挙げて説明する。
【００１９】
図６に示すように、押し出し材１２ａの中空部分はその両端にわたって長手方向で３つに仕切られている。そして、両端部の空間は後述するナット２９が挿入されるナット挿入部２１、中央部の空間は木材２２が挿入される木材挿入部２３とされ、これにより、ナット挿入部２１と木材挿入部２３とが外枠１２の前後方向で隣接するように押し出し材１２ａの中空部分が区画されている。
【００２０】
押し出し材１２ａの内壁には、ナット挿入部２１と対応する位置にナット露呈用開口２４が形成されている。ナット露呈用開口２４は、押し出し材１２ａの長手方向に沿ってその両端にわたって形成されたスリットからなる。また、押し出し材１２ａには、木材挿入部２３に挿入された木材２２を露呈する木材露呈用開口２５が外壁及び内壁の両方に形成されている。木材露呈用開口２５は、押し出し材１２ａの長手方向に沿って木材挿入部２３と対応する位置に形成されている。
【００２１】
なお、押し出し材１２ｄは木材露呈用開口２５が設けられていない点及び木材挿入部２３に木材２２が挿入されていない点が押し出し材１２ａと構成が異なり、押し出し材１２ｂ，１２ｃは押し出し材１２ａと同一の構成であるため、詳しい説明は省略する。
【００２２】
図４に示すように、連結板２０ｃ，２０ｄには、押し出し材１２ｂの木材露呈用開口２５から木材挿入部２３内に突出する突出片２８が形成されている。突出片２８が木材挿入部２３に挿入されると、木材挿入部２３に挿入された木材２２の上下端が突出片２８によって狭持される。これにより、押し出し材１２ｂ内での木材２２の位置決めが行われ、かつ、木材２２が保持される。なお、押し出し材１２ａ，１２ｃに挿入された木材２２は、押し出し材１２ａ，１２ｃと同一の長さに切断されており、その両端は押し出し材１２ｂ，１２ｄによって狭持される。
【００２３】
次に、押し出し材１２ａ〜１２ｄの連結部分の構成を図７に示す押し出し材１２ａと押し出し材１２ｂとの連結部分を例に挙げて説明する。なお、他の押し出し材１２ａ〜１２ｄ同士も同一の方法で連結される。
【００２４】
図７に示すように、押し出し材１２ａと押し出し材１２ｂとのナット挿入部２１にはその両端から複数のナット２９が挿入される。ナット２９は直方体状に形成されており、ナット２９の一面には雌ねじ２９ａが形成されている。ナット２９は、ナット露呈用開口２４から雌ねじ２９ａが露呈するようにナット挿入部２１に挿入されている。ナット２９が挿入された押し出し材１２ａと押し出し材１２ｂとは、双方のナット露呈用開口２４が内側を向くように位置決めされる。雌ねじ２９ａにはビス３０が取り付けられ、これにより、連結板２０ｃが押し出し材１２ａと押し出し材１２ｂとにビス止めされる。
【００２５】
図３及び図４に示すように、ナット挿入部２１に挿入されたナット２９にビス３０を取り付けることによって、押し出し材１２ｂ（本体１１の軸側と反対側の側辺）の上下２箇所には鍵受けフック（係止片）３１が取り付けられている。鍵受けフック３１には、本体１１に設けられた係止爪（図示せず）が係止し、これにより、本体１１が外枠１２に係止する。鍵受けフック３１に係止した係止爪は、専用の鍵を用いて本体１１の施錠を解除したときにその係止が解除される。係止が解除されると、前述したように、本体１１を外枠１２に対して回動させることが可能になる。
【００２６】
次に上記の構成によるパチンコ機１０の搬送、設置、回収の流れを説明する。パチンコ機１０を遊技場に搬送する際には、木材露呈用開口２５を介して押し出し材１２ｂの木材２２に釘を打ち込むことによって、複数のパチンコ機１０が木製の細長い板に固定される。これにより、搬送中の振動によって、パチンコ機１０同士の衝突やパチンコ機１０の倒れが防止される。遊技場に搬送されたパチンコ機１０は、木製の板から取り外される。
【００２７】
そして、パチンコ機１０を遊技場の島設備に設置する際には、木材露呈用開口２５を介して押し出し材１２ａ，１２ｃの木材２２に釘が打ち込まれ、外枠１２が島設備に固定される。
【００２８】
パチンコ機１０を遊技場から回収する際には、押し出し材１２ａ，１２ｃの木材２２に打ち込まれた釘が引き抜かれて、パチンコ機１０が島設備から取り外される。取り外されたパチンコ機１０は再びメーカーに搬送される。
【００２９】
回収されたパチンコ機１０は、本体１１と外枠１２とが分離される。分離された外枠１２はそれぞれの辺ごとに分離される。分離された押し出し材１２ａ〜１２ｃからは木材２２が引き抜かれる。なお、木材２２を引き抜く前に鍵受けフック３１や連結板２０ａ〜２０ｄは取り外される。
【００３０】
新たな木材２２が木材挿入部２３に挿入される。また、外枠１２をパチンコ機１０と異なる機種で使用する場合、その機種に応じた位置に鍵受けフック３１が取り付けられる。そして、一度分離された押し出し材１２ａ〜１２ｄは再び連結され外枠１２が形成される。形成された外枠１２には本体１１が取り付けられ、新たな機種のパチンコ機１０として出荷される。
【００３１】
以上のように、木材２２を入れ替えるだけで外枠１２はリユースできるから、パチンコ機１０の製造コストを低減でき、また、廃材を減らせるので環境保全も促進させることができる。さらに、外枠１２に４辺が分離可能なアルミ製の押し出し材１２ａ〜１２ｄを用いたので、押し出し材１２ａ〜１２ｄの厚みを薄くしても充分な強度を保つことができ、液晶パネル１４やその他の役物を大型化することができる。また、機種の異なるパチンコ機１０に外枠１２を使用する場合も、例えば鍵受けフック３１などの部品を、その機種に応じた位置に取り付けることができるので、これにより、異なる機種のパチンコ機１０に共通部品を使用することが可能になり、パチンコ機１０の製造コストを低減できる。また、外枠１２は木材２２を備えているから、従来の搬送方法及び設置方法を適用することができ、搬送の際の設備の改造や島設備の改造を必要とせず、これにより、搬送及び設置のコストが上昇することを防止できる。さらに、押し出し材１２ａ〜１２ｄはその内部が中空なため、外枠１２の重量を低減でき、搬送や設置の際の作業を効率良く行うことができる。また、連結板２０ａ〜２０ｄや鍵受けフック３１は従来と同一の部品を使用できるため、従来の生産設備（例えば多軸ネジ締め機や自動固定設備）を使用でき、パチンコ機１０の生産設備に改造を必要とせず、アルミ製の外枠１２を用いてもパチンコ機１０の製造コストが上昇することを防止できる。さらに、木材２２に釘を打ち込めるから、例えば外枠に強度を持たせるために外枠をアルミ製のダイカストにした場合と比べて搬送が容易であり、また、各辺は押し出し材を切断して加工を施すだけで形成できるので、外枠を形成する際の金型の構造を単純にでき、これにより、パチンコ機１０の製造コストを抑えることができる。さらに、外枠１２はアルミ製であるから、外枠を木材によって形成した場合と比べてその寸法が安定する。これにより、不良品を減少させることが可能になり、パチンコ機１０の製造コストを低減させることができる。
【００３２】
上記実施形態では、木材露呈用開口２５を押し出し材１２ａ〜１２ｃに設けたが、例えば、押し出し材１２ａ及び押し出し材１２ｂにのみ木材露呈用開口２５を設ける、あるいは、全ての押し出し材１２ａ〜１２ｄに設けるなど、木材露呈用開口２５は少なくとも隣接する二辺の基材に形成されていれば適宜の押し出し材１２ａ〜１２ｄに形成してよい。また、鍵受けフック３１は必ずしも外枠１２に取り付けなくてもよく、連結部材の構成も連結板２０ａ〜２０ｄに限らず適宜の部材によって構成してよい。
【００３３】
上記実施形態では、押し出し材１２ｄには木材２２を挿入しなかったが、押し出し材１２ｄに木材２２を挿入して、パチンコ機１０の搬送時には押し出し材１２ｄの木材２２に釘を打ち込んでもよい。なお、押し出し材１２ｂ側は本体１１のヒンジ側と反対側であるため、ヒンジ側の本体１１に対する相対的な寸法誤差が影響して、押し出し材１２ｂ側は本体１１に対する相対的な寸法誤差が大きくなりやすい。このため、一般的には、押し出し材１２側は本体１１に対する寸法誤差を吸収できるように、寸法精度に余裕を持たせるため、押し出し材１２ｂの木材２２に釘を打ち込むことが好ましい。
【００３４】
上記実施形態では、外枠１２の各辺を構成する基材をアルミ製の押し出し材としたが、例えばマグネシウムなど、他の金属で基材を形成してもよい。
【産業上の利用可能性】
【００３５】
上記実施形態では、弾球遊技機としてパチンコ機を例に挙げて説明したが、払い出し装置から払い出された遊技球が球通路から受け皿に流下する弾球遊技機であれば、適宜のパチンコ機以外の弾球遊技機に本発明を適用できる。
【図面の簡単な説明】
【００３６】
【図１】パチンコ機の前面側の斜視図である。
【図２】パチンコ機の本体を外枠に対して回動させた状態の斜視図である。
【図３】外枠の正面図である。
【図４】外枠の内側からの四隅の構成を示す、外枠の裏面図である。
【図５】外枠の外側からの四隅の構成を示す、外枠の正面図である。
【図６】押し出し材の断面図である。
【図７】押し出し材同士の連結部分の分解斜視図である。
【符号の説明】
【００３７】
１０  パチンコ機（遊技機）
１１  本体（遊技機本体）
１２  外枠
１２ａ，１２ｂ，１２ｃ，１２ｄ  押し出し材（基材）
２０ａ，２０ｂ，２０ｃ，２０ｄ  連結板（連結部材）
２１  ナット挿入部
２２  木材
２３  木材挿入部
２４  ナット露呈用開口
２５  木材露呈用開口
２９  ナット
【図１】
2007000270.tif 000003
【図２】
2007000270.tif 000004
【図３】
2007000270.tif 000005
【図４】
2007000270.tif 000006
【図５】
2007000270.tif 000007
【図６】
2007000270.tif 000008
【図７】
2007000270.tif 000009